(57)【要約】【課題】ＣＰＲＭ機能を有したＤＶＤレコーダ１において、ＤＶＤレコーダ１にＣＰＲＭ対応ＤＶＤメディア３ａが挿入されていないことにより録画エラーが発生したとき、ユーザが録画エラーの原因を容易に知ることができるようにする。【解決手段】ＤＶＤレコーダは、ＣＰＲＭ対応コンテンツの録画時にＤＶＤレコーダ１にＣＰＲＭ対応ＤＶＤメディア３ａが挿入されていないことをユーザに報知するＬＥＤ５を備える。録画手段４がＣＰＲＭ対応コンテンツを録画するとき、ＤＶＤレコーダ１にＣＰＲＭ対応ＤＶＤメディア３ａが挿入されていなければ、制御部２は、ＬＥＤ５を点灯させる。ユーザは、点灯しているＬＥＤ５を見ることによって、ＤＶＤレコーダ１にＣＰＲＭ対応ＤＶＤメディア３ａを挿入していないことに容易に気付くことができるため、直ちにＣＰＲＭ対応ＤＶＤメディア３ａを挿入することによって録画エラーを回避することができる。【選択図】図１
2008108367.tif 000002
【特許請求の範囲】
【請求項１】
ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）機能を有するＤＶＤレコーダにおいて、
ＤＶＤメディアに映像及び音声からなるコンテンツを録画する録画手段と、
前記コンテンツが１度だけ録画されることを許可するＣＰＲＭ対応コンテンツであるか否かを判断する制御部と、
前記ＣＰＲＭ対応コンテンツを録画することができるＣＰＲＭ対応ＤＶＤメディアを前記ＤＶＤレコーダに挿入することを促すためのＬＥＤと、
前記コンテンツに関するコンテンツ情報を前記ＤＶＤレコーダに接続されたモニタに表示させ、該コンテンツ情報に基づいて該コンテンツを前記ＤＶＤメディアに録画する録画予約がなされるＥＰＧ（Ｅｌｅｃｔｒｏｎｉｃ  Ｐｒｏｇｒａｍ  Ｇｕｉｄｅ）録画手段と、を備え、
前記録画手段は、前記ＤＶＤレコーダに前記ＣＰＲＭ対応ＤＶＤメディアが挿入されているか否か判断するメディア判断手段を有し、
前記ＥＰＧ録画手段は、前記ＣＰＲＭ対応コンテンツに関する前記コンテンツ情報を前記モニタに表示するとき、併せてＣＰＲＭに対応したコンテンツであることを示す情報を前記モニタに表示し、
前記録画手段が前記ＣＰＲＭ対応コンテンツを前記ＤＶＤメディアに録画するとき、前記メディア判断手段が、前記ＤＶＤレコーダに前記ＣＰＲＭ対応ＤＶＤメディアが挿入されていないと判断すると、前記制御部は、前記ＬＥＤを点灯させることにより、ユーザに対して前記ＣＰＲＭ対応ＤＶＤメディアが前記ＤＶＤレコーダに挿入されていないことを報知することを特徴とするＤＶＤレコーダ。
【請求項２】
ＣＰＲＭ機能を有するＤＶＤレコーダにおいて、
ＤＶＤメディアに映像及び音声からなるコンテンツを録画する録画手段と、
前記コンテンツが１度だけ録画されることを許可するＣＰＲＭ対応コンテンツであるか否かを判断する制御部と、
前記ＣＰＲＭ対応コンテンツを録画することができるＣＰＲＭ対応ＤＶＤメディアを前記ＤＶＤレコーダに挿入することを促すメッセージを表示する表示部と、を備え、
前記録画手段は、前記ＤＶＤレコーダに前記ＣＰＲＭ対応ＤＶＤメディアが挿入されているか否か判断するメディア判断手段を有し、
前記録画手段が前記ＣＰＲＭ対応コンテンツを前記ＤＶＤメディアに録画するとき、前記メディア判断手段が、前記ＤＶＤレコーダに前記ＣＰＲＭ対応ＤＶＤメディアが挿入されていないと判断すると、前記制御部は、前記表示部に前記ＣＰＲＭ対応ＤＶＤメディアを前記ＤＶＤレコーダに挿入することを促すメッセージを表示させることを特徴とするＤＶＤレコーダ。
【請求項３】
前記コンテンツに関するコンテンツ情報を前記ＤＶＤレコーダに接続されたモニタに表示させ、該コンテンツ情報に基づいて録画予約がなされるＥＰＧ録画手段をさらに備え、
前記ＥＰＧ録画手段は、前記ＣＰＲＭ対応コンテンツに関する前記コンテンツ情報を前記モニタに表示するとき、併せてＣＰＲＭに対応したコンテンツであることを示す情報を前記モニタに表示することを特徴とする請求項２に記載のＤＶＤレコーダ。
【発明の詳細な説明】
【技術分野】
【０００１】
本発明は、ＣＰＲＭに対応したＤＶＤメディアにコンテンツを録画することができるＤＶＤレコーダに関する。
【背景技術】
【０００２】
ＣＰＲＭ機能を有するＤＶＤレコーダにおいては、ユーザが、１度だけ録画することが許可されているＣＰＲＭ対応コンテンツを録画するとき、ＤＶＤレコーダにＣＰＲＭ対応ＤＶＤメディアが挿入されていなければ、録画処理が開始されず録画エラーになる。このとき、従来のＣＰＲＭ機能を有するＤＶＤレコーダでは、録画エラーであることを示すメッセージのみがＤＶＤレコーダのフロントパネルに表示されていた。しかし、ユーザは、録画エラーとなっている状態を知ることはできるが、録画エラーとなっている原因を知ることができなかった。例えば、ユーザが、録画しようとしているコンテンツがＣＰＲＭ対応コンテンツであることを知らないとき、または録画しようとしているコンテンツがＣＰＲＭ対応コンテンツであることを知っていたとしても、ＤＶＤレコーダにＣＰＲＭ対応ＤＶＤメディアを挿入したと思いこんでいるときには、容易に録画エラーの原因を突き止めることができないという問題が生じていた。
【０００３】
そこで、特許文献１に示される技術においては、ユーザがＣＰＲＭ対応コンテンツを録画するとき、ＤＶＤレコーダにＣＰＲＭ対応ＤＶＤメディアが挿入されていなければ、ＤＶＤレコーダに接続されたモニタにおいて、映像または音声によってユーザに対してＣＰＲＭ対応ＤＶＤメディアを挿入する旨を報知する手段が開示されている。
【０００４】
しかしながら、特許文献１に示される技術においては、ＤＶＤレコーダにＣＰＲＭ対応ＤＶＤメディアが挿入されていないことにより録画エラーが発生しているときに、ＤＶＤレコーダに接続されたモニタに電源が投入されている必要があった。このように、ＣＰＲＭ対応ＤＶＤメディアが挿入されていないことにより録画エラーが発生しているときに、モニタに電源が投入されていなければ、ユーザは録画エラーの原因を知ることができなかった。
【特許文献１】特開２００３−３１７３７７号公報
【発明の開示】
【発明が解決しようとする課題】
【０００５】
本発明は、上記従来例の問題を解決するためになされたものであり、ＣＰＲＭ機能を有したＤＶＤレコーダにおいて、ＤＶＤレコーダにＣＰＲＭ対応ＤＶＤメディアが挿入されていないことにより録画エラーが発生したとき、ＤＶＤレコーダに接続されたモニタに電源が投入されていなくても、ユーザが当該録画エラーの原因を容易に知ることができるようにする。
【課題を解決するための手段】
【０００６】
上記目的を達成するために請求項１の発明は、ＣＰＲＭ機能を有するＤＶＤレコーダにおいて、ＤＶＤメディアに映像及び音声からなるコンテンツを録画する録画手段と、コンテンツが１度だけ録画されることを許可するＣＰＲＭ対応コンテンツであるか否かを判断する制御部と、ＣＰＲＭ対応コンテンツを録画することができるＣＰＲＭ対応ＤＶＤメディアをＤＶＤレコーダに挿入することを促すためのＬＥＤと、コンテンツに関するコンテンツ情報をＤＶＤレコーダに接続されたモニタに表示させ、コンテンツ情報に基づいてコンテンツをＤＶＤメディアに録画する録画予約がなされるＥＰＧ録画手段と、を備え、録画手段は、ＤＶＤレコーダにＣＰＲＭ対応ＤＶＤメディアが挿入されているか否か判断するメディア判断手段を有し、ＥＰＧ録画手段は、ＣＰＲＭ対応コンテンツに関するコンテンツ情報をモニタに表示するとき、併せてＣＰＲＭに対応したコンテンツであることを示す情報をモニタに表示し、録画手段がＣＰＲＭ対応コンテンツをＤＶＤメディアに録画するとき、メディア判断手段が、ＤＶＤレコーダにＣＰＲＭ対応ＤＶＤメディアが挿入されていないと判断すると、制御部は、ＬＥＤを点灯させることにより、ユーザに対してＣＰＲＭ対応ＤＶＤメディアがＤＶＤレコーダに挿入されていないことを報知するようにしたものである。
【０００７】
また、請求項２の発明は、ＣＰＲＭ機能を有するＤＶＤレコーダにおいて、ＤＶＤメディアに映像及び音声からなるコンテンツを録画する録画手段と、コンテンツが１度だけ録画されることを許可するＣＰＲＭ対応コンテンツであるか否かを判断する制御部と、ＣＰＲＭ対応コンテンツを録画することができるＣＰＲＭ対応ＤＶＤメディアをＤＶＤレコーダに挿入することを促すメッセージを表示する表示部と、を備え、録画手段は、ＤＶＤレコーダにＣＰＲＭ対応ＤＶＤメディアが挿入されているか否か判断するメディア判断手段を有し、録画手段がＣＰＲＭ対応コンテンツをＤＶＤメディアに録画するとき、メディア判断手段が、ＤＶＤレコーダにＣＰＲＭ対応ＤＶＤメディアが挿入されていないと判断すると、制御部は、表示部にＣＰＲＭ対応ＤＶＤメディアをＤＶＤレコーダに挿入することを促すメッセージを表示させるようにしたものである。
【０００８】
また、請求項３の発明は、請求項２のＤＶＤレコーダにおいて、コンテンツに関するコンテンツ情報をＤＶＤレコーダに接続されたモニタに表示させ、コンテンツ情報に基づいて録画予約がなされるＥＰＧ録画手段をさらに備え、ＥＰＧ録画手段は、ＣＰＲＭ対応コンテンツに関するコンテンツ情報をモニタに表示するとき、併せてＣＰＲＭに対応したコンテンツであることを示す情報をモニタに表示するようにしたものである。
【発明の効果】
【０００９】
請求項１の発明によれば、ＥＰＧ録画手段は、ＣＰＲＭ対応コンテンツに関するコンテンツ情報をモニタに表示するとき、ＣＰＲＭに対応したコンテンツであることを示す情報も併せてモニタに表示する。これにより、ユーザは、ＥＰＧ録画手段を利用してコンテンツの録画予約を行うとき、当該コンテンツがＣＰＲＭに対応したコンテンツであることを容易に知ることができるため、ＣＰＲＭ対応ＤＶＤメディアをＤＶＤレコーダに挿入し忘れることを防止することができる。また、録画手段がＣＰＲＭ対応コンテンツをＤＶＤメディアに録画するとき、メディア判断手段が、ＤＶＤレコーダにＣＰＲＭ対応ＤＶＤメディアが挿入されていないと判断すると、制御部は、ＬＥＤを点灯させる。これにより、ユーザは、モニタに電源が投入されていない場合であっても、ＤＶＤレコーダにＣＰＲＭ対応ＤＶＤメディアが挿入されていないことによって、録画エラーが発生していることを容易に知ることが可能となる。
【００１０】
請求項２の発明によれば、録画手段がＣＰＲＭ対応コンテンツをＤＶＤメディアに録画するとき、メディア判断手段が、ＤＶＤレコーダにＣＰＲＭ対応ＤＶＤメディアが挿入されていないと判断すると、制御部は、表示部にＣＰＲＭ対応ＤＶＤメディアをＤＶＤレコーダに挿入することを促すメッセージを表示させる。これにより、ユーザは、モニタに電源が投入されていない場合であっても、ＤＶＤレコーダにＣＰＲＭ対応ＤＶＤメディアが挿入されていないことによって、録画エラーが発生していることを容易に知ることが可能となる。
【００１１】
請求項３の発明によれば、ＥＰＧ録画手段は、ＣＰＲＭ対応コンテンツに関するコンテンツ情報とモニタに表示するとき、ＣＰＲＭに対応したコンテンツであることを示す情報も併せてモニタに表示する。これにより、ユーザは、ＥＰＧ録画手段を利用してコンテンツの録画予約を行うとき、当該コンテンツがＣＰＲＭに対応したコンテンツであることを容易に知ることができるため、ＣＰＲＭ対応ＤＶＤメディアをＤＶＤレコーダに挿入し忘れることを防止することができる。
【発明を実施するための最良の形態】
【００１２】
以下、本発明の実施形態に係るＤＶＤレコーダについて、図面を参照して説明する。図１は、本発明の実施形態に係るＤＶＤレコーダの概略構成を示す。ＤＶＤレコーダ１は、ＣＰＲＭ機能を有している。ＣＰＲＭとは、ＤＶＤ規格で採用されている著作権保護技術であり、各種暗号化キーを用いてコンテンツを暗号化することによって、ＣＰＲＭ対応コンテンツを１度だけＣＰＲＭ対応ＤＶＤメディアまたはＣＰＲＭ対応ハードディスクに録画することを許可する技術である。また、ＣＰＲＭ対応コンテンツは、ＣＰＲＭ機能に対応していないＤＶＤメディアや記憶媒体には録画できない仕組みになっている。これにより、ユーザは、１度録画したＣＰＲＭ対応コンテンツを、他の機器やメディアへコピーすることができなくなるため、ＣＰＲＭ対応コンテンツの著作権を保護することが可能となる。
【００１３】
ＤＶＤレコーダ１は、ＤＶＤレコーダ１全体を制御する制御部２と、コンテンツが録画されるＤＶＤメディア３（ＣＰＲＭ対応ＤＶＤメディア３ａを含む）と、コンテンツをＤＶＤメディア３に録画する録画手段４と、ＤＶＤレコーダ１にＣＰＲＭ対応ＤＶＤメディア３ａが挿入されていないことをユーザに報知するためのＬＥＤ５と、コンテンツの放送日時やタイトルなどの情報からなるコンテンツ情報６をＤＶＤレコーダ１に接続されたモニタ７に表示させる出力部８と、ユーザがリモコン９を介してモニタ７に表示されたコンテンツ情報６を選択することによりコンテンツをＤＶＤメディア３に録画予約する録画予約命令を受付ける録画予約受付部１０と、リモコン９を介してユーザから直ちにコンテンツの録画を開始する録画開始命令を受付ける録画受付部１１とを備える。
【００１４】
録画手段４は、ＤＶＤレコーダ１に挿入されているＤＶＤメディア３がＣＰＲＭ対応ＤＶＤメディア３ａであるか否かを判別するメディア判別手段１２を備える。また、録画手段４は、各種暗号化キーを用いてＣＰＲＭ対応コンテンツを暗号化してＣＰＲＭ対応ＤＶＤメディア３ａに録画する手段を備えている。ここで、出力部８、モニタ７、及び録画予約受付部１０をＥＰＧ録画手段１３とする。ユーザは、ＥＰＧ録画手段１３により、モニタ７に表示されたコンテンツ情報６を選択することで、容易にコンテンツの録画予約を行うことが可能となる。
【００１５】
ＥＰＧ録画手段１３または録画受付部１１が、ユーザからＣＰＲＭ対応コンテンツをＣＰＲＭ対応ＤＶＤメディア３ａへ録画する録画予約命令または録画開始命令を受付けると、制御部２は、メディア判別手段１２にＣＰＲＭ対応ＤＶＤメディア３ａがＤＶＤレコーダ１に挿入されているか否かを判別させる。メディア判別手段１２が、ＤＶＤレコーダ１にＣＰＲＭ対応ＤＶＤメディア３ａが挿入されていないと判別すると、制御部２は、ＬＥＤ５を点灯させる。ユーザは、点灯しているＬＥＤ５を見ることによって、ＣＰＲＭ対応コンテンツの録画予約、または録画開始命令を入力したにも関わらず、ＤＶＤレコーダ１にＣＰＲＭ対応ＤＶＤメディア３ａが挿入されていないことに容易に気付くことができる。これにより、ユーザは、ＣＰＲＭ対応コンテンツを録画する際、ＤＶＤレコーダ１にＣＰＲＭ対応ＤＶＤメディア３ａが挿入されていないことによる録画エラーを回避することが可能となる。
【００１６】
図２は、ＤＶＤレコーダ１を正面から見た状態を示す。ＤＶＤレコーダ１の正面には、ＬＥＤ５と、ＤＶＤメディア３が挿入されるディスクトレイ１４と、再生釦、録画釦、または頭出し釦などの各種釦を備えた操作釦部１５とが設けられている。ここで、ＬＥＤ５の上部には、「ＣＰＲＭ対応ＤＶＤを挿入してください」という文字が表示されている。これにより、ユーザは、点灯しているＬＥＤ５を見ることにより、ＤＶＤレコーダ１にＣＰＲＭ対応ＤＶＤメディア３ａが挿入されていないことを容易に知ることができる。
【００１７】
図３は、ＤＶＤレコーダ１のＥＰＧ録画手段１３を用いた録画予約処理フローを示す。出力部８は、モニタ７に番組のコンテンツ情報６を表示させる（Ｓ１０１）。ユーザは、モニタ７に表示されたコンテンツ情報６から録画したい番組を選択することにより録画予約を行う。ここで、コンテンツ情報６は、ＣＰＲＭ対応コンテンツであるか否かのＣＰＲＭ情報を保持している。出力部８は、このＣＰＲＭ情報を参照し、モニタ７に表示させるコンテンツ情報６がＣＰＲＭ情報を保持しているとき、このコンテンツがＣＰＲＭに対応したコンテンツであることを示すメッセージをモニタ７に表示させる。ここでのメッセージの表示は、例えば、コンテンツ情報６と共に「ＣＰＲＭ対応番組」という文字をモニタ７に表示させることや、モニタ７に表示されているコンテンツ情報６の背景色を変えることにより行われる。これにより、ユーザは、録画予約しようとする番組がＣＰＲＭ対応コンテンツであることを容易に知ることができる。
【００１８】
ユーザが、モニタ７に表示されたコンテンツ情報６から録画する番組を選択すると（Ｓ１０２でＹｅｓ）、制御部２は、選択された番組がＣＰＲＭ対応コンテンツであるか否かを判断する（Ｓ１０３）。ステップＳ１０２において、ユーザによって録画する番組が選択されなければ（Ｓ１０２でＮｏ）、ＤＶＤレコーダ１は、ＥＰＧ録画手段１３を用いた録画予約処理を終了する。ステップＳ１０３において、制御部２が、選択された番組がＣＰＲＭ対応コンテンツでないと判断すると（Ｓ１０３でＮｏ）、制御部２は、録画予約受付部１０が受付けた録画予約命令に従って、録画予約処理を実行する（Ｓ１０８）。ステップＳ１０３において、制御部２が、選択された番組がＣＰＲＭ対応コンテンツであると判断すると（Ｓ１０３でＹｅｓ）、メディア判別手段１２は、ＤＶＤレコーダ１にＣＰＲＭ対応ＤＶＤメディア３ａが挿入されているか否かを判別する（Ｓ１０４）。
【００１９】
ステップＳ１０４において、メディア判別手段１２が、ＤＶＤレコーダ１にＣＰＲＭ対応ＤＶＤメディア３ａが挿入されていると判別すると（Ｓ１０４でＹｅｓ）、制御部２は、録画予約受付部１０が受付けた録画予約命令に従って、録画予約処理を実行する（Ｓ１０８）。ステップＳ１０４において、メディア判別手段１２が、ＤＶＤレコーダ１にＣＰＲＭ対応ＤＶＤメディア３ａが挿入されていないと判別すると（Ｓ１０４でＮｏ）、制御部２は、ＬＥＤ５を点灯させる（Ｓ１０５）。ユーザは、点灯しているＬＥＤ５を見ることによって、ＣＰＲＭ対応コンテンツの録画予約を行ったにも関わらず、ＤＶＤレコーダ１にＣＰＲＭ対応ＤＶＤメディア３ａが挿入されていないことを容易に知ることができる。制御部２がＬＥＤ５を点灯させた後、ＤＶＤレコーダ１にＣＰＲＭ対応ＤＶＤメディア３ａが挿入されると（Ｓ１０６でＹｅｓ）、制御部２は、ＬＥＤ５を消灯させ（Ｓ１０７）、録画予約受付部１０が受付けた録画予約命令に従って、録画予約処理を実行する（Ｓ１０８）。その後、ＤＶＤレコーダ１は、ＥＰＧ録画手段１３を用いた録画予約処理を終了する。
【００２０】
一方、ステップＳ１０６において、所定の時間が経過してもＤＶＤレコーダ１にＣＰＲＭ対応ＤＶＤメディア３ａが挿入されなければ（Ｓ１０６でＮｏ）、制御部２は、ＬＥＤ５を点灯させたままの状態で録画予約処理を実行する（Ｓ１０８）。ユーザは、ＤＶＤレコーダ１にＣＰＲＭ対応ＤＶＤメディア３ａが挿入されていなくても、録画予約を行うことができるが、ＬＥＤ５は継続して点灯することとなる。これにより、ユーザは、録画が開始されるまでにＤＶＤレコーダ１にＣＰＲＭ対応ＤＶＤメディア３ａを挿入する必要があることに気付くことができる。その後、ＤＶＤレコーダ１は、ＥＰＧ録画手段１３を用いた録画予約処理を終了する。
【００２１】
図４は、ＤＶＤレコーダ１の録画予約による録画処理フローを示す。ここでは、ＤＶＤレコーダ１には、ＤＶＤメディア３が挿入されているものとする。制御部２は、ユーザによって録画予約された時間になると、録画する番組がＣＰＲＭ対応コンテンツであるか否かを判断する（Ｓ２０１）。制御部２が、録画する番組がＣＰＲＭ対応コンテンツでないと判断したとき（Ｓ２０１でＮｏ）、制御部２は、録画手段４に番組をＤＶＤメディア３に録画させる（Ｓ２０６）。一方、ステップＳ２０１において、制御部２が、録画する番組がＣＰＲＭ対応コンテンツであると判断したとき（Ｓ２０１でＹｅｓ）、メディア判別手段１２は、ＤＶＤレコーダ１に挿入されているＤＶＤメディア３がＣＰＲＭ対応ＤＶＤメディア３ａであるか否かを判別する（Ｓ２０２）。
【００２２】
メディア判別手段１２が、ＤＶＤレコーダ１にＣＰＲＭ対応ＤＶＤメディア３ａが挿入されていると判別すると（Ｓ２０２でＹｅｓ）、制御部２は、録画手段４にＣＰＲＭ対応コンテンツである番組をＣＰＲＭ対応ＤＶＤメディア３ａに録画させる（Ｓ２０６）。一方、ステップＳ２０２において、メディア判別手段１２が、ＤＶＤレコーダ１にＣＰＲＭ対応ＤＶＤメディア３ａが挿入されていないと判別すると（Ｓ２０２でＮｏ）、制御部２は、ＬＥＤ５を点灯させる（Ｓ２０３）。ユーザは、点灯しているＬＥＤ５を見ることにより、ＤＶＤレコーダ１にＣＰＲＭ対応ＤＶＤメディア３ａを挿入しなければならないことに気付くことができる。このとき、録画手段４は、ＣＰＲＭ対応コンテンツをＣＰＲＭ対応ＤＶＤメディア３ａでないＤＶＤメディア３に録画することができないため、録画処理は行われない。
【００２３】
次に、録画予約時に設定された録画終了時間が到来するまでに、ＤＶＤレコーダ１にＣＰＲＭ対応ＤＶＤメディア３ａが挿入されなければ（Ｓ２０４でＮｏ）、制御部２は、録画手段４にＣＰＲＭ対応コンテンツである番組を録画させることなく録画処理を終了する。一方、ステップＳ２０４において、録画終了時間が到来するまでに、ユーザによってＤＶＤレコーダ１にＣＰＲＭ対応ＤＶＤメディア３ａが挿入され、メディア判別手段１２がＤＶＤレコーダ１にＣＰＲＭ対応ＤＶＤメディア３ａが挿入されたと判別すると（Ｓ２０４でＹｅｓ）、制御部２は、ＬＥＤ５を消灯させる（Ｓ２０５）。続いて、制御部２は、録画手段４にＣＰＲＭ対応コンテンツである番組を挿入されたＣＰＲＭ対応ＤＶＤメディア３ａに録画させる（Ｓ２０６）。録画手段４が録画処理を開始すると（Ｓ２０６）、録画終了時間が到来するか、ユーザによって録画停止処理が行われるまで（Ｓ２０７でＮｏ）、録画手段４は録画処理を継続する（Ｓ２０６）。録画終了時間が到来し、または、ユーザによって録画停止処理が行われると（Ｓ２０７でＹｅｓ）、制御部２は、録画手段４に録画処理を停止させて（Ｓ２０８）、録画処理を終了する。
【００２４】
図５は、ＤＶＤレコーダ１の録画処理フローを示す。ここでの録画処理とは、録画予約によって録画処理が行われるのではなく、ユーザからの命令に応じて直ちに開始される録画処理を意味する。また、ＤＶＤレコーダ１には、ＤＶＤメディア３が挿入されているものとする。録画受付部１１が、ユーザからリモコン９や操作パネルを介して番組を録画する命令を受け付けると、制御部２は、録画する番組がＣＰＲＭ対応コンテンツであるか否かを判断する（Ｓ３０１）。制御部２が、録画する番組がＣＰＲＭ対応コンテンツでないと判断したとき（Ｓ３０１でＮｏ）、制御部２は、録画手段４に番組をＤＶＤメディア３に録画させる（Ｓ３０３）。一方、ステップＳ３０１において、制御部２が、録画する番組がＣＰＲＭ対応コンテンツであると判断したとき（Ｓ３０１でＹｅｓ）、メディア判別手段１２は、ＤＶＤレコーダ１に挿入されているＤＶＤメディア３がＣＰＲＭ対応ＤＶＤメディア３ａであるか否かを判別する（Ｓ３０２）。
【００２５】
メディア判別手段１２が、ＤＶＤレコーダ１にＣＰＲＭ対応ＤＶＤメディア３ａが挿入されていると判別すると（Ｓ３０２でＹｅｓ）、制御部２は、録画手段４にＣＰＲＭ対応コンテンツである番組をＣＰＲＭ対応ＤＶＤメディア３ａに録画させる（Ｓ３０６）。録画手段４が録画処理を開始すると（Ｓ３０３）、ユーザによって録画停止処理が行われるまで（Ｓ３０４でＮｏ）、録画手段４は録画処理を継続する（Ｓ３０３）。ユーザによって録画停止処理が行われると（Ｓ３０４でＹｅｓ）、制御部２は、録画手段４に録画処理を停止させて（Ｓ３０５）、録画処理を終了する。
【００２６】
一方、ステップＳ３０２において、メディア判別手段１２が、ＤＶＤレコーダ１にＣＰＲＭ対応ＤＶＤメディア３ａが挿入されていないと判別すると（Ｓ３０２でＮｏ）、制御部２は、ＬＥＤ５を点灯させて（Ｓ３０６）、録画処理を終了する。ユーザは、点灯しているＬＥＤ５を見ることにより、ＤＶＤレコーダ１にＣＰＲＭ対応ＤＶＤメディア３ａが挿入されていないことによって、録画処理が実行されなかったことに気付くことができる。このとき、ユーザは、ＤＶＤレコーダ１にＣＰＲＭ対応ＤＶＤメディア３ａを挿入した後、再び、録画処理を実行することとなる。
【００２７】
このように、ユーザがＥＰＧ録画手段１３を用いてＣＰＲＭ対応コンテンツの録画予約を行うとき、モニタ７に録画予約する番組がＣＰＲＭ対応コンテンツであることを示すメッセージが表示される。これにより、ユーザは、ＤＶＤレコーダ１にＣＰＲＭ対応ＤＶＤメディア３ａを挿入する必要があることに容易に気付くことができる。また、ＤＶＤレコーダ１にＣＰＲＭ対応ＤＶＤメディア３ａが挿入されていないことにより、録画手段４がＣＰＲＭ対応コンテンツの録画処理を行わないとき、制御部２は、ＬＥＤ５を点灯させる。ユーザは、点灯しているＬＥＤ５を見ることにより、ＣＰＲＭ対応コンテンツの録画処理が行われない原因がＤＶＤレコーダ１にＣＰＲＭ対応ＤＶＤメディア３ａが挿入されていないためであることを容易に知ることが可能となる。
【００２８】
なお、本発明は、上記実施形態の構成に限られず、種々の変形が可能であり、例えば、制御部２は、ＤＶＤレコーダ１にＣＰＲＭ対応ＤＶＤメディア３ａが挿入されていないときだけでなく、ＤＶＤメディア３が挿入されていないときにもＬＥＤ５を点灯させえる構成であっても構わない。
【図面の簡単な説明】
【００２９】
【図１】本発明の実施形態に係るＤＶＤレコーダの概略を示す構成図。
【図２】同ＤＶＤレコーダの正面図。
【図３】同ＤＶＤレコーダのＥＰＧ録画手段１３を用いた録画予約処理フローチャート。
【図４】同ＤＶＤレコーダの録画予約による録画処理フローチャート。
【図５】同ＤＶＤレコーダの録画処理フローチャート。
【符号の説明】
【００３０】
１  ＤＶＤレコーダ
２  制御部
３  ＤＶＤメディア
３ａ  ＣＰＲＭ対応ＤＶＤメディア
４  録画手段
５  ＬＥＤ
６  コンテンツ情報
７  モニタ
１２  メディア判別手段
１３  ＥＰＧ録画手段
【図１】
2008108367.tif 000003
【図２】
2008108367.tif 000004
【図３】
2008108367.tif 000005
【図４】
2008108367.tif 000006
【図５】
2008108367.tif 000007